(57)【特許請求の範囲】
【請求項１】
前面に開口部が形成された本体枠と、
前記本体枠の前面に取り付けられ前記開口部を開放又は閉塞する前面扉と、
前記前面扉が前記開口部を閉塞した状態で前記前面扉と前記本体枠とが接合する接合部位又はその近傍に形成され、前記前面扉が前記開口部を開放した痕跡を残す不正対策部材が取り付けられる不正対策部材取付部と、
を有する遊技機であって、
前記不正対策部材取付部には、前記前面扉が前記開口部を開放するときに破壊されて読取装置と通信不可能になる通信部を有する前記不正対策部材が取り付けられ、
前記不正対策部材取付部は、前記前面扉が前記開口部を閉塞したときに前記前面扉と前記本体枠とを連通するとともに前記前面扉及び前記本体枠の外部に連通する連通孔であり、
前記不正対策部材は、前記連通孔に挿入され前記通信部が取り付けられる不正対策部材本体と、前記連通孔に前記不正対策部材本体が挿入された状態を維持する挿入維持部と、有し、
前記挿入維持部は、前記不正対策部材本体と前記連通孔とを取外し不可能に係合するものであり、
前記不正対策部材本体の破壊に伴って、前記通信部が破壊されることを特徴とする遊技機。
【請求項２】
前面に開口部が形成された本体枠と、
前記本体枠の前面に取り付けられ前記開口部を開放又は閉塞する前面扉と、
前記前面扉が前記開口部を閉塞した状態で前記前面扉と前記本体枠とが接合する接合部位又はその近傍に形成され、前記前面扉が前記開口部を開放した痕跡を残す不正対策部材が取り付けられる不正対策部材取付部と、
を有する遊技機であって、
前記不正対策部材取付部には、前記前面扉が前記開口部を開放するときに破壊されて読取装置と通信不可能になる通信部を有する前記不正対策部材が取り付けられ、
前記不正対策部材取付部は、前記前面扉が前記開口部を閉塞したときに前記前面扉と前記本体枠とを連通するとともに前記前面扉及び前記本体枠の外部に連通する連通孔であり、
前記不正対策部材は、前記連通孔に挿入され前記通信部が取り付けられる不正対策部材本体と、前記連通孔に挿入された前記不正対策部材本体が挿入される挿入維持部と、有し、
前記挿入維持部は、前記不正対策部材本体と取外し不可能に係合して前記不正対策部材本体が挿入された状態を維持するものであり、
前記不正対策部材本体の破壊に伴って、前記通信部が破壊されることを特徴とする遊技機。
【請求項３】
前面に開口部が形成された本体枠と、
前記本体枠の前面に取り付けられ前記開口部を開放又は閉塞する前面扉と、
前記前面扉が前記開口部を閉塞した状態で前記前面扉と前記本体枠とが接合する接合部位又はその近傍に形成され、前記前面扉が前記開口部を開放した痕跡を残す不正対策部材が取り付けられる不正対策部材取付部と、
を有する遊技機であって、
前記不正対策部材取付部には、前記前面扉が前記開口部を開放するときに破壊されて読取装置と通信不可能になる通信部を有する前記不正対策部材が取り付けられ、
前記不正対策部材取付部は、前記前面扉又は前記本体枠の一方に形成された突出部と、前記前面扉又は前記本体枠の他方に形成された爪部と、を有し、
前記不正対策部材は、前記突出部が挿入されるカバー部と、前記突出部が前記カバー部に挿入された状態で前記前面扉が前記開口部を閉塞した場合に前記爪部と取外し不可能に係合可能な不正対策部材本体と、を有し、
前記通信部は、前記爪部と係合される前記不正対策部材本体に取り付けられており、
前記不正対策部材本体の破壊に伴って、前記通信部が破壊されることを特徴とする遊技機。
【発明の詳細な説明】
【技術分野】
【０００１】
本発明は、遊技機に係り、特に、複数の領域で停止表示された図柄の組合せに応じて所定量の遊技メダルが払い出されるスロットマシンに代表される遊技機に関する。
【背景技術】
【０００２】
近年、遊技機内部に設けられた制御基板（メイン制御基板やサブ制御基板など）に対する不正行為が問題となっている。このような問題を解決するために、最近の遊技機にはＲＦＩＤ（ＩＣタグ）を用いた不正対策が施されているものがある。例えば、遊技機に用いられる制御基板を収容する基板ケースの開閉部分をＲＦＩＤ内蔵の封印シールで封止する技術が提案されている。この従来技術では、封印シールが破られて基板ケースが開けられると、ＲＦＩＤも破壊されることになるため、ＲＦＩＤの内容を読み取る読取装置（リーダ）との通信が不能となり、基板ケースが開放されたことを管理履歴として残すことができる。これにより、制御基板の不正改造を容易に発見することができる。
【特許文献１】特開２０００−３３４１５４号公報
【特許文献２】特開２００５−７４２３９号公報
【発明の開示】
【発明が解決しようとする課題】
【０００３】
しかしながら、遊技機が遊技機メーカから出荷されてホールに搬送されている輸送過程において、基板ケースに収容された制御基板が、不正遊技を実行するための不正制御基板が収容された基板ケースと取り替えられることがある。この場合、上記従来技術の不正対策を行っていても、ホールの管理者は装着されている制御基板が正規のものであるか否かを知る術がなく、不正な基板ケースに取り替えられている事実を即座に認知することができない。特に、遊技機の輸送過程における遊技機内部に対する不正行為については、メーカ側及びホール側にとっても発見することが非常に困難であった。
【０００４】
また、上記従来技術では、ＲＦＩＤ内蔵の封印シールから読取装置との通信に用いられる通信電波が発信されるため、この通信電波が基板ケースに収容されている制御基板に悪影響を及ぼすおそれがある。具体的には、制御基板を遊技機に装着した場合に、その制御基板による制御に悪影響が生じるおそれがあり、ひいては遊技機が誤動作してしまう原因となる。
【０００５】
そこで、本発明は、不正行為を容易かつ確実に発見することができるとともに、遊技機の制御に悪影響を及ぼすことを防止できる遊技機を提供することを目的とする。
【課題を解決するための手段】
【０００６】
請求項１に記載の発明は、前面に開口部が形成された本体枠と、前記本体枠の前面に取り付けられ前記開口部を開放又は閉塞する前面扉と、前記前面扉が前記開口部を閉塞した状態で前記前面扉と前記本体枠とが接合する接合部位又はその近傍に形成され、前記前面扉が前記開口部を開放した痕跡を残す不正対策部材が取り付けられる不正対策部材取付部と、を有する遊技機であって、前記不正対策部材取付部には、前記前面扉が前記開口部を開放するときに破壊されて読取装置と通信不可能になる通信部を有する前記不正対策部材が取り付けられ、前記不正対策部材取付部は、前記前面扉が前記開口部を閉塞したときに前記前面扉と前記本体枠とを連通するとともに前記前面扉及び前記本体枠の外部に連通する連通孔であり、前記不正対策部材は、前記連通孔に挿入され前記通信部が取り付けられる不正対策部材本体と、前記連通孔に前記不正対策部材本体が挿入された状態を維持する挿入維持部と、有し、前記挿入維持部は、前記不正対策部材本体と前記連通孔とを取外し不可能に係合するものであり、前記不正対策部材本体の破壊に伴って、前記通信部が破壊されることを特徴とする。ここで、「前記前面扉が前記開口部を開放するときに破壊される読取装置と通信不可能になる通信部」とは、前面扉が開口部を開放することに連動して破壊されるものでもよいし、当事者が前面扉を開放するために行なう動作によって破壊されるものでもよい。
【０００７】
請求項２に記載の発明は、前面に開口部が形成された本体枠と、前記本体枠の前面に取り付けられ前記開口部を開放又は閉塞する前面扉と、前記前面扉が前記開口部を閉塞した状態で前記前面扉と前記本体枠とが接合する接合部位又はその近傍に形成され、前記前面扉が前記開口部を開放した痕跡を残す不正対策部材が取り付けられる不正対策部材取付部と、を有する遊技機であって、前記不正対策部材取付部には、前記前面扉が前記開口部を開放するときに破壊されて読取装置と通信不可能になる通信部を有する前記不正対策部材が取り付けられ、前記不正対策部材取付部は、前記前面扉が前記開口部を閉塞したときに前記前面扉と前記本体枠とを連通するとともに前記前面扉及び前記本体枠の外部に連通する連通孔であり、前記不正対策部材は、前記連通孔に挿入され前記通信部が取り付けられる不正対策部材本体と、前記連通孔に挿入された前記不正対策部材本体が挿入される挿入維持部と、有し、前記挿入維持部は、前記不正対策部材本体と取外し不可能に係合して前記不正対策部材本体が挿入された状態を維持するものであり、前記不正対策部材本体の破壊に伴って、前記通信部が破壊されることを特徴とする。
【０００８】
請求項３に記載の発明は、前面に開口部が形成された本体枠と、前記本体枠の前面に取り付けられ前記開口部を開放又は閉塞する前面扉と、前記前面扉が前記開口部を閉塞した状態で前記前面扉と前記本体枠とが接合する接合部位又はその近傍に形成され、前記前面扉が前記開口部を開放した痕跡を残す不正対策部材が取り付けられる不正対策部材取付部と、を有する遊技機であって、前記不正対策部材取付部には、前記前面扉が前記開口部を開放するときに破壊されて読取装置と通信不可能になる通信部を有する前記不正対策部材が取り付けられ、前記不正対策部材取付部は、前記前面扉又は前記本体枠の一方に形成された突出部と、前記前面扉又は前記本体枠の他方に形成された爪部と、を有し、前記不正対策部材は、前記突出部が挿入されるカバー部と、前記突出部が前記カバー部に挿入された状態で前記前面扉が前記開口部を閉塞した場合に前記爪部と取外し不可能に係合可能な不正対策部材本体と、を有し、前記通信部は、前記爪部と係合される前記不正対策部材本体に取り付けられており、前記不正対策部材本体の破壊に伴って、前記通信部が破壊されることを特徴とする。
【発明の効果】
【００２１】
本発明によれば、不正対策部材の取り付けは、不正対策部材本体が連通孔に挿入され、この状態で不正対策部材本体と連通孔が挿入維持部によって係合され、その状態が維持されることにより実現される。これにより、不正対策部材を遊技機に容易に取り付けることができるとともに、不正対策部材が遊技機から容易に脱落してしまうことを防止できる。
【００２２】
また、遊技機の前扉を開放する際は、不正対策部材及び通信部を破壊する構成としている。このような構成とすることで、遊技機の輸送過程において、遊技機の前扉が開放されたか否かを容易かつ確実に認識することができる。したがって、遊技機内部に対して不正行為が行われた可能性がある旨を認識することができる。
【００２３】
本発明によれば、不正対策部材の取り付けは、不正対策部材本体が連通孔に挿入され、この状態で不正対策部材本体の端部が挿入維持部に挿入されて係合され、その状態が維持されることにより実現される。これにより、不正対策部材を遊技機に容易に取り付けることができるとともに、不正対策部材が遊技機から容易に脱落してしまうことを防止できる。
【００２４】
また、遊技機の前扉を開放する際は、不正対策部材及び通信部を破壊する構成としている。このような構成とすることで、遊技機の輸送過程において、遊技機の前扉が開放されたか否かを容易かつ確実に認識することができる。したがって、遊技機内部に対して不正行為が行われた可能性がある旨を認識することができる。
【００２５】
本発明によれば、不正対策部材の取り付けは、遊技機側の突出部が不正対策部材のカバー部に挿入されるとともに、前面扉が開口部を閉塞し突出部がカバー部に挿入された状態で不正対策部材の不正対策部材本体が遊技機側の爪部と係合することにより実現される。これにより、不正対策部材を遊技機に容易に取り付けることができるとともに、不正対策部材が遊技機から容易に脱落してしまうことを防止できる。
【００２６】
また、遊技機の前扉を開放する際は、不正対策部材及び通信部を破壊する構成としている。このような構成とすることで、遊技機の輸送過程において、遊技機の前扉が開放されたか否かを容易かつ確実に認識することができる。したがって、遊技機内部に対して不正行為が行われた可能性がある旨を認識することができる。
【発明を実施するための最良の形態】
【００２７】
次に、本発明の第１実施形態に係る遊技機について、図面を参照して説明する。なお、本実施形態では本発明を遊技機の一例であるスロットマシンに適用した構成を説明する。
【００２８】
図１及び図２に示すように、スロットマシン１０は、箱状に形成された筐体１２と、筐体１２の前面側に形成されて開口部Ｍを覆うようにして設けられた前面扉１４と、遊技メダルを貸し出すためのメダル貸出装置１６と、を備えている。
【００２９】
前面扉１４は、遊技の進行に応じた演出が行われる上段の領域１４Ａと、遊技メダルが払い出される下段の領域１４Ｂと、遊技が行われる中段の領域１４Ｃの大きく３つの領域から構成されており、更に中段の領域１４Ｃは、遊技の状態を表示するための遊技状態表示部１８と、遊技を行うための操作部２０と、から構成されている。
【００３０】
上段の領域１４Ａには、中央に演出表示装置２２が設けられている。また、この演出表示装置２２の左右には、スピーカ２４がそれぞれ設けられている。また、演出表示装置２２及びスピーカ２４の上方には、各種のランプ類２６が設けられている。演出表示装置２２は、いわゆる液晶表示装置によって構成されており、遊技の進行状況に合わせて種々の図柄を表示して演出を行うことが可能となっている。
【００３１】
また、前面扉１４の中段に設けられた遊技状態表示部１８の中央には、大きな表示窓２８が設けられており、内部に設けられた３つの回胴３０Ａ、３０Ｂ、３０Ｃが回転する様子を外部から視認することができるようになっている。また、表示窓２８の左右及び下方には、遊技の状態を表示する各種の表示パネル類３２がそれぞれ設けられている。
【００３２】
また、前面扉１４の中段下方に設けられた操作部２０は手前に向かって突出した形状に形成されており、その上面には遊技メダルを投入するための遊技メダル投入口３４と、クレジットとして貯留されている遊技メダルを１枚だけ投入するための一枚投入ボタン３６と、貯留されている遊技メダルを３枚投入するための三枚投入ボタン３７などが設けられている。なお、遊技メダルの貯留とは、遊技メダルを実際に払い出す代わりにメダルの枚数を記憶しておくことをいう。また、操作部２０の前面には、遊技メダルの投入後に回胴３０Ａ、３０Ｂ、３０Ｃの回転を開始するためのスタートレバー３８と、３つの回胴３０Ａ、３０Ｂ、３０Ｃの回転をそれぞれ停止させるための回胴停止ボタン４０Ａ、４０Ｂ、４０Ｃなどが設けられている。また、操作部２０の上面には精算ボタン４２が設けられ、前面には返却ボタン４４が設けられている。ここで、精算ボタン４２とは、遊技機１０の内部に貯留されている遊技メダルを外部に排出する際に操作するボタンである。また、返却ボタン４４とは、投入した遊技メダルが遊技機１０の内部で詰まった場合に、メダルの詰まりを解消するために操作されるボタンである。
【００３３】
また、前面扉１４の下段の領域１４Ｂには、遊技メダルが排出される遊技メダル排出口４６と、排出された遊技メダルを受け止めるメダル受け皿４８などが設けられている。
【００３４】
図２に示すように、前面扉１４の裏面側上部には、サブ制御基板ユニット５０が設けられている。また、サブ制御基板ユニット５０の左右にはスピーカ２４がそれぞれ取り付けられている。サブ制御基板ユニット５０は、内部に後述するサブ制御基板５２が格納されており、図１に示した演出表示装置２２や、各種ランプ類２６、スピーカ２４などを用いて行われる各種演出の制御を司っている。
【００３５】
また、前面扉１４に設けられた表示窓２８の裏面側下方には、後述する扉基板５６が格納された扉基板ユニット５４が設けられている。この扉基板ユニット５４の下方には、投入された遊技メダルの通路となるメダルセレクタ５８や、遊技メダルを遊技メダル排出口４６に導くためのコインシュータ６０などが取り付けられている。メダルセレクタ５８は、遊技メダル投入口３４から投入された遊技メダルを主に寸法に基づいて選別し、規格寸法に適合した寸法の遊技メダルだけを受け入れる機能を有している。遊技者がスタートレバー３８を操作する前に遊技メダルを投入すると、遊技メダルはメダルセレクタ５８によって選別され、規格を満足しているものだけがホッパー６２内に投入され、規格を満足していないメダルは、コインシュータ６０を通って、遊技メダル排出口４６に返却されるようになっている。これに対して、スタートレバー３８が操作された後に遊技メダルが投入された場合は、メダルセレクタ５８内の通路が切り換わり、投入された遊技メダルは、コインシュータ６０を通って、遊技メダル排出口４６に返却される。また、メダルセレクタ５８の内部には、図示しないメダルセンサが設けられており、寸法規格を満たして受け入れられた遊技メダルはメダルセンサによって検出され、検出信号が後述の主制御基板６４に出力されるようになっている。
【００３６】
また、筐体１２の内部の略中央には、３つの回胴３０Ａ、３０Ｂ、３０Ｃがそれぞれ設けられている。各回胴３０Ａ、３０Ｂ、３０Ｃの上方には、遊技全体の制御を司る後述の主制御基板６４が格納された主制御基板ユニット６６と、各回胴３０Ａ、３０Ｂ、３０Ｃを駆動するための後述の回胴基板６８が格納された回胴基板ユニット７０と、が設けられている。また、３つの回胴３０Ａ、３０Ｂ、３０Ｃの下方にはリアスピーカ７２が設けられており、さらにその下方には投入された遊技メダルが集められるホッパー６２と、遊技メダルを払い出すメダル払出装置７４と、遊技機１０全体に電源を供給するための後述の電源基板７６が格納された電源ユニット７８などが設けられている。そして、電源ユニット７８の前面には、遊技機１０の電源を投入するための電源スイッチ８０が設けられている。また、メダル払出装置７４の払出口８２からコインシュータ６０の受入口８５に向けて払い出された遊技メダルは、コインシュータ６０を通って、遊技メダル排出口４６から排出されるようになっている。
【００３７】
ここで、本発明の要部について説明する。
【００３８】
図５に示すように、前面扉１４の側壁外側面１４Ａには、断面略コ字状の第１溝部８４が形成されている。この第１溝部８４は、底面部８４Ａと、側面部８４Ｂと、遊技機１０の外側に向かって開放する開放部８４Ｃと、を有している。
【００３９】
また、図６に示すように、筐体１２の側壁外側面１２Ａにも、同様にして、断面略コ字状の第２溝部８６が形成されている。この第２溝部８６は、底面部８６Ａと、側面部８６Ｂと、遊技機１０の外側に向かって開放する開放部８６Ｃと、を有している。また、前面扉１４が閉じられて筐体１２の開口部Ｍを閉塞した状態では、第１溝部８４と第２溝部８６とが連通するようになっている。
【００４０】
また、図４及び図７に示すように、第１溝部８４及び第２溝部８６には、不正対策部材８８が取り付けられている。この不正対策部材８８は、直方体状の不正対策部材本体９０を備えている。この不正対策部材本体９０には、ＩＣタグ９２が貼付シール（図示省略）により取り付けられている。このＩＣタグ９２は、チップ部９４と、通信電波を発信するアンテナ部９６と、で構成されている。なお、アンテナ部９６は、巻回された状態で不正対策部材本体９０に取り付けられている。ＩＣタグ９２と別体の読取装置（リーダ、図示省略）とは通信可能になっており、アンテナ部９６から発信される通信電波は、読取装置などにより容易に受信できるようなっている。
【００４１】
また、不正対策部材本体９０の長手方向略中央部には、切り欠かれて薄肉状になった破壊部９８が形成されている。これにより、破壊部９８の強度が比較的低くなるため、不正対策部材本体９０にその長手方向に引っ張られるような引張力が付与されたり、あるいは不正対策部材本体９０にその長手方向に圧縮されるような圧縮力が付与された場合には、不正対策部材８８は破壊部９８から容易に破断されることになる。
【００４２】
また、不正対策部材本体９０の外側面には、突出した係止部１００がそれぞれ設けられている。各係止部１００は、不正対策部材本体９０の長手方向端部側から長手方向中央部側に向かって外側に突出するように傾斜して構成されている。
【００４３】
この不正対策部材８８の一部が前面扉１４の第１溝部８４又は筐体１２の第２溝部８６の一方に挿入された状態で、前面扉１４が筐体１２に閉じられると、不正対策部材８８の他の一部が前面扉１４の第１溝部８４又は筐体１２の第２溝部８６の他方に挿入されるようになっている。
【００４４】
また、図８に示すように、不正対策部材８８が第１溝部８４及び筐体１２の第２溝部８６に完全に取り付けられた状態では、開放部８４Ｃ、８６Ｃを介してＩＣタグ９２のチップ部９４及びアンテナ部９６の一部が外部に露出するようになっている。
【００４５】
次に、遊技機１０の電気的構成について説明する。
【００４６】
図３に示すように、遊技機１０には、主制御基板６４を中心として、サブ制御基板５２、扉基板５６、回胴基板６８、電源基板７６等がデータをやりとり可能に接続されて構成されている。
【００４７】
主制御基板６４は、遊技機１０で行われる遊技全体の進行や演出を司る基板である。この主制御基板６４には、ＣＰＵ、ＲＯＭ、ＲＡＭなどがバスによって互いにデータをやりとり可能に接続されて搭載されている。主制御基板６４は、前面扉１４に搭載された扉基板５６から、スタートレバー３８が操作されたことを示す信号を受け取って、遊技制御処理を実行しながら、サブ制御基板５２、扉基板５６、回胴基板６８などに向かって制御コマンド（あるいは制御信号）を出力することにより、各基板の動作を制御している。
【００４８】
また、サブ制御基板５２も、主制御基板６４と同様に、ＣＰＵ、ＲＯＭ、ＲＡＭなどがバスによって互いにデータをやりとり可能に接続されて搭載されている。また、サブ制御基板５２には、各種ランプ類２６、各種のスピーカ２４、７２、演出表示装置２２、回胴バックライト１０２、などが接続されている。ここで、回胴バックライト１０２とは、各回胴３０Ａ、３０Ｂ、３０Ｃの内部に設けられ、回胴３０Ａ、３０Ｂ、３０Ｃの表面に描かれた図柄を裏側から照らすライトである。サブ制御基板５２は、主制御基板６４から受け取った制御コマンドを解析して、各種ランプ類２６、各種スピーカ２４、７２、演出表示装置２２、回胴バックライト１０２、にそれぞれ駆動信号を出力することにより、これらを用いた各種演出を行っている。
【００４９】
また、扉基板５６には、メダルセレクタ５８、貯留されている遊技メダルを投入するための各種投入ボタン３６、３７、回胴３０Ａ、３０Ｂ、３０Ｃの回転を開始するためのスタートレバー３８、回転している回胴３０Ａ、３０Ｂ、３０Ｃを停止するための回胴停止ボタン４０Ａ、４０Ｂ、４０Ｃ、貯留されている遊技メダルや投入された遊技メダルを払い出して遊技を終了するための精算ボタン４２、遊技の状態を表示するため各種の表示パネル３２などが接続されている。まて、扉基板５６は、主制御基板６４と、データをやりとり可能に接続されている。このため、前面扉１４に設けられたスタートレバー３８、回胴停止ボタン４０Ａ、４０Ｂ、４０Ｃ、各種の投入ボタン３６、３７、精算ボタン４２などを操作すると、扉基板５６を介して、その信号を主制御基板６４に供給することが可能となっている。また、メダルセレクタ５８に設けられたメダルセンサの出力も、扉基板５６を介して主制御基板６４に供給されている。
【００５０】
回胴基板６８には、３つの回胴３０Ａ、３０Ｂ、３０Ｃをそれぞれ回転させるための回胴モータ１０４Ａ、１０４Ｂ、１０４Ｃと、それぞれの回胴３０Ａ、３０Ｂ、３０Ｃの回転位置を検出するための回胴センサ１０６Ａ、１０６Ｂ、１０６Ｃが設けられている。回胴基板６８は、回胴センサ１０６Ａ、１０６Ｂ、１０６Ｃによって、各回胴３０Ａ、３０Ｂ、３０Ｃの回転位置を検出しながら、回胴モータ１０４Ａ、１０４Ｂ、１０４Ｃを駆動することにより、それぞれの回胴３０Ａ、３０Ｂ、３０Ｃを、所望の回転位置で停止させることが可能となっている。なお、本実施形態の遊技機１０では、回胴モータ１０４Ａ、１０４Ｂ、１０４Ｃには、いわゆるステッピングモータが使用されている。
【００５１】
また、メダル払出装置７４は、中継基板７５を介して、主制御基板６４に接続されており、主制御基板６４からの制御信号に基づいて、所定枚数の遊技メダルを払い出す動作を行う。メダル払出装置７４には、遊技メダルが払い出されたことを検知するために、図示しない払出センサが設けられている。遊技メダルが払い出されると、払出センサで検知して、信号が主制御基板６４に出力される。
【００５２】
また、これら各種制御基板及び基板で消費されたる電力は、電源基板７６から供給されている。電源基板７６には、１００Ｖの交流電圧が供給されており、この電力を規定電圧に変換した後、それぞれの制御基板及び基板に供給している。図３では、電源基板７６から電力が供給される様子を破線の矢印で表している。
【００５３】
次に、第１実施形態に係る遊技機１０の作用について説明する。
【００５４】
図４及び図８に示すように、例えば、遊技機メーカからホールに遊技機１０が出荷される場合には、遊技機１０の第１溝部８４と第２溝部８６とに不正対策部材８８が取り付けられる。第１溝部８４及び第２溝部８６への不正対策部材８８の取り付けは、上述したように、不正対策部材８８の一部が第１溝部８４又は第２溝部８６の一方に予め挿入された状態で、前面扉１４を筐体１２に対して閉じることにより、不正対策部材８８の他方の一部が第１溝部８４又は第２溝部８６の他方に挿入される。このように、本実施形態の遊技機１０では、不正対策部材８８を遊技機１０にワンタッチで容易に取り付けることができる。
【００５５】
図４乃至図７に示すように、遊技機１０の第１溝部８４又は第２溝部８６の一方に、不正対策部材８８の一部が取り付けられた状態では、各溝部８４、８６の側面部８４Ｂ（８６Ｂ）に設けられた凹部２００（２１０）に各係止部１００が嵌り込み、各側面部８４Ｂ（８６Ｂ）との間で抜け止め状に係止されているため、不正対策部材８８が第１溝部８４又は第２溝部８６の一方から不意に脱落してしまうことを防止できる。
【００５６】
ここで、遊技機１０に不正対策部材８８が取り付けられた状態で、前面扉１４を筐体１２に対して開けようとすると、不正対策部材本体９０には所定の引張力が作用する。不正対策部材本体９０に引張力が作用すると、不正対策部材本体９０の破壊部９８の強度が他の部位と比較して比較的低くかつ応力が集中するため、破壊部９８から不正対策部材本体９０が容易に破断される。不正対策部材本体９０が破断されると、不正対策部材本体９０に貼り付けられたＩＣタグ９２が破壊される。このため、不正対策部材８８に読取装置を近づけても、ＩＣタグ９２のアンテナ部９６から通信電波が発信されることがないため、不正対策部材８８と読取装置との通信が不可能となり、前面扉１４が開けられたことを容易に発見することができる。なお、前面扉１４が筐体１２に対して開けられていない場合には、ＩＣタグ９２のアンテナ部９６から通信電波が発信されているため、不正対策部材８８に読取装置を近づけると、不正対策部材８８と読取装置との通信が可能となる。このように、不正対策部材本体９０に貼り付けられたＩＣタグ９２のアンテナ部９６から発信される通信電波を読取装置で受信できるか否かを調べることにより、不正行為の事実（前面扉１４が開けられた事実）を容易に発見することができる。特に、遊技メーカやホール側が発見することが困難である遊技機１０の輸送過程における不正行為を容易に発見することができる。
【００５７】
また、同時に、不正対策部材８８が前面扉１４と筐体１２との側壁の外側に取り付けられており、筐体１２又は前面扉１４の内部に搭載されている各制御基板（主制御基板６４、サブ制御基板５２、扉基板５６、回胴基板６８、電源基板７６など）と不正対策部材８８とが側壁を隔てて所定の距離だけ離れている構成であるため、各制御基板にＩＣタグ９２の通信電波が悪影響を及ぼすことを防止できる。
【００５８】
また、上述した第１実施形態の遊技機１０では、係止部１００を凹部２００（２１０）に嵌め込むことで不正対策部材８８を抜け止め状に係止させる構成としたが、不正対策部材８８が第１溝部８４及び第２溝部８６から脱落しないように係止されればどのような係止方法でもよい。例えば、凹部２００（２１０）を形成しない場合に不正対策部材８８を第１溝部８４及び第２溝部８６に挿入し、各係止部１００が各溝部８４、８６の側面部８４Ｂ（８６Ｂ）を押圧し各側面部８４Ｂ（８６Ｂ）との間で係止される形態としてもよい。このような場合にも、不正対策部材８８が第１溝部８４及び第２溝部８６から脱落しないので、上述した第１実施形態と同等の効果が得られる。
【００５９】
また、係止部１００と凹部２００（２１０）を複数設ける構成としてもよい。こうすることで、不正対策部材８８が第１溝部８４及び第２溝部８６から脱落することをより一層防止できる。
【００６０】
また、係止部１００を不正対策部材８８内部に引っ込み可能に形成しておき、通常時はバネ力によって不正対策部材８８外部に突出させる構成としてもよい。こうすることで、係止部１００を凹部２００（２１０）に嵌め込む際に、嵌め込み易くなり、不正対策部材８８の取り付けが、より一層容易に行うことができる。
【００６１】
次に、本発明の第２実施形態に係る遊技機について説明する。
なお、本発明の第１実施形態に係る遊技機の構成と同様の構成については、同符号を付し、その説明を省略する。
【００６２】
図９及び図１０に示すように、遊技機１２０の前面扉１２２の側壁には、第１連通孔１２６が形成されている。この第１連通孔１２６は、底面部１２６Ａと、側面部１２６Ｂと、遊技機１２０の外側に向かって開口する外側口部１２６Ｃと、を有している。
【００６３】
また、図９及び図１１に示すように、遊技機１２０の筐体１２４の側壁にも、同様にして、第２連通孔１２８が形成されている。この第２連通孔１２８は、底面部１２８Ａと、側面部１２８Ｂと、遊技機１２０の外側に向かって開口する外側口部１２８Ｃと、を有している。また、前面扉１２２が閉じられて筐体１２４の開口部Ｍを閉塞した状態では、第１連通孔１２６と第２連通孔１２８とが相互に連通するようになっている。
【００６４】
また、第１連通孔１２６及び第２連通孔１２８には、不正対策部材１３０が取り付けられている。図１２に示すように、不正対策部材１３０は、バンド状の不正対策部材本体１３２を備えている。この不正対策部材本体１３２には、ＩＣタグ１３４が内蔵されている。ＩＣタグ１３４は、チップ部１３６と、通信電波を発信するアンテナ部１３８と、で構成されている。ＩＣタグ１３４と別体の読取装置（リーダ、図示省略）とは通信可能になっており、アンテナ部１３８から発信される通信電波は、読取装置などにより容易に受信できるようなっている。
【００６５】
また、不正対策部材本体１３２の長手方向他方側端部には、不正対策部材本体１３２の長手方向一方側端部（先端部）が挿入され不正対策部材本体１３２の長手方向一方側端部の近傍を係止するフック部１４０が形成されている。このフック部１４０には爪部（図示省略）が設けられており、不正対策部材本体１３２の表面には引掛部（図示省略）が形成されており、爪部と引掛部とが係合することにより、不正対策部材１３０が遊技機１２０に取り付けられる。なお、不正対策部材１３０が破断する引張力以下の力が不正対策部材１３０に作用しても、爪部と引掛部との係合が解除されることはない。このため、不正対策部材１３０に力が作用して破断するまでは、爪部と引掛部との係合が維持されることになる。
【００６６】
なお、第１実施形態と同様にして、不正対策部材本体１３２に、切り欠かれて薄肉状になった破壊部を形成するようにしてもよい。これにより、破壊部の強度が比較的低くなるため、不正対策部材本体１３２に引張力が付与された場合には、不正対策部材１３０は破壊部から容易に破断されることになる。
【００６７】
また、図９に示すように、不正対策部材１３０が第１連通孔１２６及び第２連通孔１２８に完全に取り付けられた状態では、不正対策部材本体１３２の一部に内蔵されているＩＣタグ１３４のアンテナ部１３８が外部に露出するようになっている。
【００６８】
次に、第２実施形態に係る遊技機１２０の作用について説明する。
【００６９】
図９乃至図１２に示すように、例えば、遊技機メーカからホールに遊技機１２０が出荷される場合には、遊技機１２０の第１連通孔１２６と第２連通孔１２８とに不正対策部材１３０が取り付けられる。第１連通孔１２６及び第２連通孔１２８への不正対策部材１３０の取り付けは、上述したように、前面扉１２２を筐体１２４に対して閉じた状態で、不正対策部材本体１３２の一部を第１連通孔１２６及び第２連通孔１２８に挿入させ、不正対策部材本体１３２の長手方向一方側端部をフック部１４０に挿入させてフック部１４０に不正対策部材本体１３２の長手方向一方側端部の近傍を係止させることにより実現される。
【００７０】
ここで、遊技機１２０に不正対策部材１３０が取り付けられた状態で、前面扉１２２を筐体１２４に対して開けようとすると、不正対策部材本体１３２には所定の引張力が作用する。不正対策部材本体１３２に引張力が作用すると、不正対策部材本体１３２が容易に破断される。不正対策部材本体１３２が破断されると、不正対策部材本体１３２に貼り付けられたＩＣタグ１３４が破壊される。このため、不正対策部材１３０に読取装置を近づけても、ＩＣタグ１３４のアンテナ部１３８から通信電波が発信されることがないため、不正対策部材１３０と読取装置との通信が不可能となり、前面扉１２２が開けられたことを容易に発見することができる。なお、前面扉１２２が筐体１２４に対して開けられていない場合には、ＩＣタグ１３４のアンテナ部１３８から通信電波が発信されているため、不正対策部材１３０に読取装置を近づけると、不正対策部材１３０と読取装置との通信が可能となる。このように、不正対策部材本体１３２に貼り付けられたＩＣタグ１３４のアンテナ部１３８から発信される通信電波を読取装置で受信できるか否かを調べることにより、不正行為の事実（前面扉１２２が開けられた事実）を容易に発見することができる。特に、遊技メーカやホール側が発見することが困難である遊技機１２０の輸送過程における不正行為を容易に発見することができる。
【００７１】
また、同時に、不正対策部材１３０が前面扉１２２と筐体１２４の側壁外側に取り付けられており、筐体１２４又は前面扉１２２の内部に搭載されている各制御基板（主制御基板６４、サブ制御基板５２、扉基板５６、回胴基板６８、電源基板７６など）と不正対策部材１３０とが側壁を隔てて所定の距離だけ離れている構成であるため、各制御基板にＩＣタグ１３４の通信電波が悪影響を及ぼすことを防止できる。
【００７２】
なお、第２実施形態では、前面扉１２２を筐体１２４に対して閉じた状態で、不正対策部材本体１３２の一部を第１連通孔１２６及び第２連通孔１２８に挿入させ、フック部１４０に不正対策部材本体１３２の長手方向一方側端部の近傍を係止させる構成としたが、本発明はこれに限定されるものではない。例えば、不正対策部材本体１３２の長手方向両端部に抜け落ちを防止するためのストッパを設け、不正対策部材本体１３２が第１連通孔１２６と第２連通孔１２８に挿入された状態で不正対策部材本体１３２が抜け落ちないように係止されるものであってもよい。
【００７３】
次に、本発明の第３実施形態に係る遊技機について説明する。
なお、本発明の第１実施形態に係る遊技機の構成と同様の構成については、同符号を付し、その説明を省略する。
【００７４】
図１３乃至図１７に示すように、遊技機１５０の筐体１５２の側壁内側面１５２Ｂには、突出片１５４が形成されている。また、前面扉１５６の側壁内側面１５６Ｂには、揺動部１５８が取り付けられている。この揺動部１５８は、側壁内側面１５６Ｂから突出した土台部１６０と、土台部１６０に取り付けられこの土台部１６０に取り付けられている部位を中心に側壁内側面１５６Ｂに対して略直交する方向に揺動する揺動片１６２と、で構成されている。
【００７５】
図１４及び図１５に示すように、揺動片１６２は、側壁内側面１５６Ｂに対して略平行に延びるバネ部１６４と、このバネ部１６４の先端部に一体形成されバネ部１６４の土台部１６０側から先端部側に向かって下り傾斜した係合部１６６と、で構成されている。
【００７６】
また、図１６に示すように、不正対策部材１７０は、遊技機１５０の筐体１５２の側壁内側面１５２Ｂに形成された突出片１５４が挿入されるカバー部１７２と、カバー部１７２に取り付けられたリング状の不正対策部材本体１７４と、で構成されている。この不正対策部材本体１７４には、ＩＣタグ１７６が貼り付けられている。ＩＣタグ１７６は、チップ部１７８と、通信電波を発信するアンテナ部１８０と、で構成されている。なお、アンテナ部１８０は、不正対策部材本体１７４の略全域にわたって設けられている。ＩＣタグ１７６と別体の読取装置（リーダ、図示省略）とは通信可能になっており、アンテナ部１８０から発信される通信電波は、読取装置などにより容易に受信できるようなっている。
【００７７】
図１７に示すように、この不正対策部材１７０を遊技機１５０に取り付ける場合には、不正対策部材１７０のカバー部１７２に筐体１５２の突出片１５４を挿入させた状態で、前面扉１５６を筐体１５２に対して閉じると、やがて不正対策部材本体１７４の先端部が揺動片１６２の先端部にある係合部１６６と接触する。この状態で、前面扉１５６を筐体１５２に対してさらに閉じようとすると、揺動片１６２は、不正対策部材本体１７４の先端部からの押圧力により、前面扉１５６の側壁内側面１５６Ｂ側に撓むことになる。そして、不正対策部材本体１７４の先端部がさらに土台部１６０側に近づくと、揺動片１６２の撓み変形が解消され、揺動片１６２の係合部１６６に不正対策部材本体１７２の先端部が係合される。このように、不正対策部材１７０を遊技機１５０にワンタッチで容易に取り付けることができる。
【００７８】
なお、第３実施形態に係る遊技機１５０では、突出片１５４を筐体１５２の側壁内側面１５２Ｂに設け、揺動片１６２及び土台部１６０を前面扉１５６の側壁内側面１５６Ｂに設けた構成を示したが、この構成に限られるものではなく、突出片１５４を筐体１５２の側壁外側面１５２Ａに設け、揺動片１６２及び土台部１６０を前面扉１５６の側壁外側面１５６Ａに設けた構成でもよい。この場合は、不正対策部材１７０が筺体１２の外部に露出されることとなるため、読取装置との通信が容易に可能となる。
【００７９】
また、第１実施形態と同様にして、不正対策部材本体１７４に、切り欠かれて薄肉状になった破壊部を形成するようにしてもよい。これにより、破壊部の強度が比較的低くなるため、不正対策部材本体１７４に引張力が付与された場合には、不正対策部材１７０は破壊部から容易に破断されることになる。
【００８０】
次に、本発明の第３実施形態に係る遊技機１５０の作用について説明する。
【００８１】
図１７に示すように、例えば、遊技機メーカからホールに遊技機１５０が出荷される場合には、遊技機１５０に不正対策部材１７０が取り付けられる。遊技機１５０への不正対策部材１７０の取り付けは、上述したように、不正対策部材１７０のカバー部１７２に突出片１５４が挿入された状態で、前面扉１５６を筐体１５２に対して閉じることにより、不正対策部材１７０を遊技機１５０にワンタッチで容易に取り付けることができる。
【００８２】
ここで、図１４及び図１５に示すように、遊技機１５０に不正対策部材１７０が取り付けられた状態で、前面扉１５６を筐体１５２に対して開けようとすると、不正対策部材１７０には所定の引張力が作用する。不正対策部材１７０に引張力が作用すると、揺動片１６２の係合部１６６と不正対策部材本体１７４の先端部が係合されており揺動片１６２が揺動しないため、不正対策部材本体１７４が揺動片１６２の係合部１６６により容易に破断される。不正対策部材本体１７４が破断されると、不正対策部材本体１７４に貼り付けられたＩＣタグ１７６が破壊される。このため、遊技機１５０の外部から不正対策部材１７０に読取装置を近づけても、ＩＣタグ１７６のアンテナ部１８０から通信電波が発信されることがないため、不正対策部材１７０と読取装置との通信が不可能となり、前面扉１５６が開けられたことを容易に発見することができる。なお、前面扉１５６が筐体１５２に対して開けられていない場合には、ＩＣタグ１７６のアンテナ部１８０から通信電波が発信されているため、遊技機１５０の外部から不正対策部材１７０に読取装置を近づけると、不正対策部材１７０と読取装置との通信が可能となる。このように、不正対策部材本体１７４に貼り付けられたＩＣタグ１７６のアンテナ部１８０から発信される通信電波を読取装置で受信できるか否かを調べることにより、不正行為の事実（前面扉１５６が開けられた事実）を容易に発見することができる。特に、遊技メーカやホール側が発見することが困難である遊技機１５０の輸送過程における不正行為を容易に発見することができる。
【００８３】
特に、図１３及び図１４に示すように、本実施形態の遊技機１５０では、突出片１５４を筐体１５２の側壁内側面１５２Ｂに設け、揺動片１６２及び土台部１６０を前面扉１５６の側壁内側面１５６Ｂに設け、かつ不正対策部材１７０を遊技機１５０の内側（内部）から取り付ける構成であるため、遊技機１５０の外観上では不正対策部材１７０を確認することはできない。これにより、不正対策部材１７０が取り付けられた状態においても、遊技機１５０の意匠性を損なうことがない。
【図面の簡単な説明】
【００８４】
【図１】本発明の第１実施形態に係る遊技機の正面図である。
【図２】本発明の第１実施形態に係る遊技機の前面扉を開いて遊技機の内部の構成を示した斜視図である。
【図３】本発明の第１実施形態に係る遊技機の電気的構成を示した説明図である。
【図４】本発明の第１実施形態に係る遊技機に不正対策部材が取り付けられた状態を示した斜視図である。
【図５】本発明の第１実施形態に係る遊技機の前面扉の側壁を示した部分的な断面図である。
【図６】本発明の第１実施形態に係る遊技機の本体枠の側壁を示した部分的な断面図である。
【図７】本発明の第１実施形態に係る遊技機に取り付けられる不正対策部材の斜視図である。
【図８】本発明の第１実施形態に係る遊技機に不正対策部材が取り付けられた状態を示した側面図である。
【図９】本発明の第２実施形態に係る遊技機に不正対策部材が取り付けられた状態を示した側面図である。
【図１０】本発明の第２実施形態に係る遊技機の前面扉の側壁を示した部分的な断面図である。
【図１１】本発明の第２実施形態に係る遊技機の本体枠の側壁を示した部分的な断面図である。
【図１２】本発明の第２実施形態に係る遊技機に取り付けられる不正対策部材の斜視図である。
【図１３】本発明の第３実施形態に係る遊技機に不正対策部材が取り付けられた状態を示した側面図である。
【図１４】本発明の第３実施形態に係る遊技機に不正対策部材が取り付けられた状態の要部を拡大した拡大側面図である。
【図１５】本発明の第３実施形態に係る遊技機に不正対策部材が取り付けられた状態を示した平面図である。
【図１６】本発明の第３実施形態に係る遊技機に取り付けられる不正対策部材の斜視図である。
【図１７】本発明の第３実施形態に係る遊技機に不正対策部材が取り付けられる状態を示す作用図である。
【符号の説明】
【００８５】
１０      遊技機
１２      筐体（本体枠）
１４      前面扉
８４      第１溝部（不正対策部材取付部、溝部）
８４Ｃ    開放部
８６      第２溝部（不正対策部材取付部、溝部）
８６Ｃ    開放部
８８      不正対策部材
９０      不正対策部材本体
９２      ＩＣタグ（通信部）
９８      破壊部
１００    係止部
１２０    遊技機
１２２    前面扉
１２４    筐体（本体枠）
１２６    第１連通孔（連通孔）
１２８    第２連通孔（連通孔）
１３０    不正対策部材
１３２    不正対策部材本体
１４０    フック部（挿入維持部）
１３４    ＩＣタグ（通信部）
１５０    遊技機
１５２    筐体（本体枠）
１５４    突出片（突出部）
１５６    前面扉
１５８    揺動部（爪部）
１７０    不正対策部材
１７２    カバー部
１７４    不正対策部材本体
１７６    ＩＣタグ（通信部）
Ｍ        開口部
【図１】
0004565091.tif 000002
【図２】
0004565091.tif 000003
【図３】
0004565091.tif 000004
【図４】
0004565091.tif 000005
【図５】
0004565091.tif 000006
【図６】
0004565091.tif 000007
【図７】
0004565091.tif 000008
【図８】
0004565091.tif 000009
【図９】
0004565091.tif 000010
【図１０】
0004565091.tif 000011
【図１１】
0004565091.tif 000012
【図１２】
0004565091.tif 000013
【図１３】
0004565091.tif 000014
【図１４】
0004565091.tif 000015
【図１５】
0004565091.tif 000016
【図１６】
0004565091.tif 000017
【図１７】
0004565091.tif 000018